(57)【要約】【構成】排水温度調整ます１０は、ます本体１２の側面１４に開口する流入口２８および流出口３０と、ます本体１２の下部に形成される貯留部３２を備え、流出口３０の底部より下方に貯留部３２が設けられる。そして、流入口２８に高温排水が流れる排水管４６を接続し、流出口３０に下水管４０に通ずる排水管５４を接続すると、流入口２８から高温排水が流入し、貯留部３２で一時溜められ、その間に放熱して排水の温度は低下する。そして、新たな高温排水が流入して排水の水位が流出口３０の底部に達すると、低温になった排水が下水管４０などへ排出される。【効果】高温排水の温度を低下させて、下流側に位置する下水管４０などの熱劣化を防止し、排水施設を保護する。【選択図】図１
2008115574.tif 000002
【特許請求の範囲】
【請求項１】
ます本体、
前記ます本体の側面に設けられる、かつ高温排水が流入する流入口、
前記ます本体の底面と前記流出口の底部との間に形成される、かつ前記高温排水の温度を低下させる貯留部、および
前記ます本体の側面に設けられる、かつ前記高温排水の温度より低くなった排水を流出する流出口を備える、排水温度調整ます。
【請求項２】
前記流出口から前記貯留部に延びる間仕切りをさらに備える、請求項１記載の排水温度調整ます。
【請求項３】
請求項１または２の排水温度調整ますを用いた排水システムであって、
高温排水を受ける受部、
前記受部に上流側端部が接続される第１排水管、
前記第１排水管の下流側端部に前記流入口が接続される前記排水温度調整ます、
前記排水温度調整ますの前記流出口に上流側端部が接続される第２排水管、
前記第２排水管の下流側端部に流入口が接続される汚水ます、および
前記汚水ますの流出口に接続される下水管を備える、排水システム。
【発明の詳細な説明】
【技術分野】
【０００１】
この発明は、排水温度調整ますおよびそれを用いた排水システムに関し、特にたとえば、電気給湯機からの高温排水の温度を下げて下水管へ排出する、排水温度調整ますおよびそれを用いた排水システムに関する。
【背景技術】
【０００２】
自然冷媒ヒートポンプ式電気給湯機は主に夜間電力を利用して、貯湯タンク内の水を９０度程度まで沸かしている。この温度上昇により水の体積が約３％膨張し、増えた熱水は貯湯タンクからあふれドレン管に排出される。そして、高温排水は、間接配管の排水トラップまたはホッパー、および宅地ますなどを経由して、下水管へ流れる。
【０００３】
この宅地ますに、特許文献１の排水ますなどの硬質塩化ビニル樹脂で形成された排水ますが使用される。
【０００４】
また、下水道法の排水温度基準によれば下水管など排水施設の保護のため排水温度を４５℃未満としている。
【特許文献１】特開平８−２７８８４号公報［Ｅ０３Ｆ  ５／１０］
【発明の開示】
【発明が解決しようとする課題】
【０００５】
特許文献１の従来技術では、排水ますから流出する排水は、その温度が４５℃まで低下せずに、それより高い温度で下水管へ排出されており、この下水道法を遵守することができない。
【０００６】
それゆえに、この発明の主たる目的は、下水道などの排水施設を保護することができる、排水温度調整ますおよびそれを用いた排水システムを提供することである。
【課題を解決するための手段】
【０００７】
請求項１の発明は、ます本体、ます本体の側面に設けられる、かつ高温排水が流入する流入口、ます本体の底面と流出口の底部との間に形成される、かつ高温排水の温度を低下させる貯留部、およびます本体の側面に設けられる、かつ高温排水の温度より低くなった排水を流出する流出口を備える、排水温度調整ますである。
【０００８】
請求項１の発明では、排水温度調整ます（１０：実施例において相当する部分を例示する参照符号。以下同じ。）は、ます本体（１２）、その側面（１４）に設けられる流入口（２８）および流出口（３０）、ならびにます本体（１２）の底面と流出口（３０）の底部との間に形成される貯留部（３２）を備える。
【０００９】
たとえば、流入口（２８）に高温排水が流れる管を接続し、流出口（３０）に下水管（４０）に通ずる管を接続すると、高温排水は流入口（２８）からます本体（１２）に流入し、貯留部（３２）に溜まる。そして、高温排水の水位が流出口（３０）の底部に達するまで、高温排水は貯留部（３２）に留まり、その間に高温排水が有する熱は主にます本体（１２）の壁を通じて土中に放出され、排水の温度が低下する。この低温になった排水の中に新たな高温排水が流入すると、低温排水と混合してその温度は低下すると伴に、混合した排水の水位が上昇する。水位が流出口（３０）の底部に達すれば、混合によって低温になった排水が流出口（３０）から自然流下し下水管（４０）へ排出される。
【００１０】
このように、貯留部（３２）において排水の温度を低下させることにより、流出口（３０）から低温の排水が流出されるため、高温排水が高い温度のまま下水管（４０）へ流出するのを防ぎ、流出口（３０）より下流側にある管などの熱劣化を防止することができる。
【００１１】
請求項２の発明は、流出口から貯留部に延びる間仕切りをさらに備える、請求項１記載の排水温度調整ますである。
【００１２】
請求項２の発明では、間仕切り（５６、６４）が流出口（３０）から貯留部（３２）に延びるため、貯留部（３２）の水位が上昇すると、貯留部（３２）の下部にある排水から間仕切り（５６、６４）の内部を通り流出口（３０）へ流れて排出される。これにより、貯留部（３２）に溜められた排水が放熱により冷えた後、その上から新たな高温排水が貯留部（３２）に流入し、貯留部（３２）の排水の水位が流出口（３０）に達しても、貯留部（３２）の下部にある冷えた排水から流出口（３０）へ排出される。このため、流出口（３０）から流れる排水の温度は低く、高温排水が高い温度のまま下水管（４０）へ流出するのを防ぎ、流出口（３０）より下流側にある管などの熱劣化を防止することができる。
【００１３】
また、間仕切り（５６、６４）の下端開口が貯留部（３２）の排水に浸かると、下端開口が排水で塞がれるため、下水管（４０）などの臭気が流出口（３０）からます本体（１２）に流入することを防止でき、排水温度調整ます（１０）は防臭機能を発揮する。
【００１４】
請求項３の発明は、請求項１または２の排水温度調整ますを用いた排水システムであって、高温排水を受ける受部、受部に上流側端部が接続される第１排水管、第１排水管の下流側端部に流入口が接続される排水温度調整ます、排水温度調整ますの流出口に上流側端部が接続される第２排水管、第２排水管の下流側端部に流入口が接続される汚水ます、および汚水ますの流出口に接続される下水管を備える、排水システムである。
【００１５】
請求項３の発明では、受部（３８、５８）、第１排水管（４６）、排水温度調整ます（１０）、第２排水管（５４）、汚水ます（４２）および下水管（４０）が接続されて、排水システム（３４、６０）が形成される。
【００１６】
これにより、高温排水機器（３６）などから排出された高温排水は高温のまま、受部（３８、５８）から排水システム（３４、６０）に入り、第１排水管（４６）を通り、排水温度調整ます（１０）へ流入する。そして、排水温度調整ます（１０）の貯留部（３２）で一時貯留され、その間に放熱などによって高温排水の温度が低下する。次に新たな高温排水などが貯留部（３２）に流入すると、高温排水の温度より低くなった排水が流出口（３０）から排出されて、第２排水管（５４）および汚水ます（４２）を通り、下水管（４０）へ流れる。
【００１７】
このように、高温排水を高い温度のまま汚水ます（４２）や下水管（４０）などの排水施設に流さないことにより、排水施設を保護できる。
【００１８】
また、排水温度調整ます（１０）より下流側には耐熱性が要求されないため、これらに高価な耐熱性材料を用いる必要がなく、材料コストなどを抑えられる。
【発明の効果】
【００１９】
この発明によれば、貯留部をます本体に設けることにより、下水道などの排水施設を保護することができる。
【００２０】
この発明の上述の目的，その他の目的，特徴および利点は、図面を参照して行う以下の実施例の詳細な説明から一層明らかとなろう。
【発明を実施するための最良の形態】
【００２１】
図１に示すこの発明の一実施例である排水温度調整ます１０は、高温排水の温度を低下させるためのますであって、耐熱性塩化ビニル樹脂や耐熱ＡＢＳ（アクリロニトリル・ブタジエン・スチレン）樹脂など耐熱性樹脂で形成され、図１および図２に示すます本体１２を備える。
【００２２】
ます本体１２は、射出成形などで形成され、円筒形状の側面１４を有し、その内径は、たとえば２００ｍｍである。側面１４の上部は開口してそこに上部開口部１６が形成され、下部は閉塞してそこに底面１８が形成される。上部開口部１６は拡径受口形状であって、上部開口部１６に脱着可能な上蓋２０が装着される。上蓋２０を取り外した際には、上部開口部１６は点検口として利用される。また、上蓋２０の外周面に設けられたゴム輪溝２２にゴム輪２４が嵌められ、そのゴム輪２４によって上部開口部１６と上蓋２０との間の水密性および気密性が保たれる。一方、底面１８の内面がます本体１２の底面として用いられる。
【００２３】
ます本体１２の側面１４に流入口２８および流出口３０が設けられ、これらは対峙する位置に配置される。流入口２８および流出口３０はともに拡径受口であって、その径は、たとえば１００ｍｍに設定される。流出口３０の底部が流入口２８の底部より低い位置に設けられ、流出口３０は流入口２８より下方に位置する。これにより、ます本体１２に溜められた排水は流出口３０から排出される。
【００２４】
また、ます本体１２の下部、すなわちます本体１２の底面と流出口３０の底部との間に貯留部３２が形成される。この貯留部３２は、流入口２８から流入した高温排水を一時貯留し、その間に高温排水の温度を低下させる部分であって、その高さＡ、つまります本体１２の底面から流出口３０の底部までの高さは後述する高温排水機器から所定時間に排出される高温排水を貯留部３２に収容できる高さに設定される。
【００２５】
このような排水温度調整ます１０は、図３に示す排水システム３４のように、高温排水機器３６の高温排水を受ける受部と下水管４０に繋がる汚水ますとの間に配置される。
【００２６】
すなわち、排水システム３４は、受部、第１排水管４６、排水温度調整ます１０、第２排水管５４、汚水ますおよび下水管４０を備え、これらがこの順で接続されて形成される。
【００２７】
高温排水機器３６は、所定時間に所定量の高温排水を排出する機器であって、電気給湯機などである。たとえば、電気給湯機などの高温排水機器３６は、夜間に貯湯タンク（図示せず）内の水を加熱する。この温度上昇により、貯湯タンク内の熱水の体積が増加し、貯湯タンクから溢れた熱水を高温排水としてドレン管４４から排出する。
【００２８】
受部は、ドレン管４４から流下する高温排水を受けて下流側にある第１排水管４６に排出するためのものであって、この受部にはたとえば排水トラップ３８が用いられ、これは耐熱性塩化ビニル樹脂や耐熱性ＡＢＳ樹脂などの耐熱性樹脂で形成される。排水トラップ３８はドレン管４４の下方に埋設され、その上部は地表に開口し、開口に目皿４８などが装着される。目皿４８は格子状などであって、多数の細孔を有することにより、ごみなどの浸入を防止しながら高温排水を細孔から流入させる。また、排水トラップ３８の下流側側面１４に第１排水管４６が接続するための接続口５０が設けられ、接続口５０に弁体５２が取り付けられ、弁体５２は接続口５０から下方に延びる。排水が排水トラップ３８に溜められ、弁体５２の下端が排水に浸かると、弁体５２の下端が排水で塞がれて、下水管４０などからの臭気が第１排水管４６などを通って排水トラップ３８へ逆流するのを防止する。
【００２９】
第１排水管４６は、耐熱性塩化ビニル樹脂や耐熱性ＡＢＳ樹脂などの耐熱性樹脂で形成される。第１排水管４６の上流側端部は排水トラップ３８の接続口５０に接続され、下流側端部は排水温度調整ます１０の流入口２８に接続されて、高温排水を排水トラップ３８から排水温度調整ます１０に流す。
【００３０】
排水温度調整ます１０は、上蓋２０が地表面に現れるように地中に埋設されて、流入口２８に第１排水管４６が接続され、流出口３０に第２排水管５４が接続される。そして、流入口２８から流入した高温排水を貯留部３２で一時溜め、その間に放熱などによって高温排水の温度を低下させ、この高温排水の温度より低くなった排水を流出口３０から排出する。
【００３１】
第２排水管５４は、耐熱性でない一般的な塩化ビニル樹脂などの合成樹脂で形成される。第２排水管５４の上流側端部は排水温度調整ます１０の流入口２８に接続され、下流側端部は宅地ます４２に接続されて、排水温度調整ます１０で温度が下げられた排水を排水温度調整ます１０から汚水ますに流す。
【００３２】
汚水ますには、たとえば宅地ます４２が用いられる。宅地ます４２は、耐熱性樹脂で形成されない点、および貯留部３２を有していない点を除いて排水温度調整ます１０と同様のますである。このため、宅地ます４２は、一般的な塩化ビニル樹脂などの合成樹脂で形成され、ます本体１２と、ます本体１２の側面１４に設けられる流入口２８および流出口３０とを有し、ます本体１２は円筒形状の側面１４、上部開口部１６および、インバートが形成された底面を含み、インバートは流入口２８の底部と流出口３０の底部とを結ぶ。流入口２８には第２排水管５４が接続され、流出口３０には下水管４０が接続されて、低温排水を下水管４０へ自然流下させる。
【００３３】
このような排水システム３４では、たとえば、高温排水機器３６が２３時から７時までの間の６時間で４７０Ｌの貯湯タンク内の水を９０℃程度まで加熱する。この温度上昇により、熱水の体積は約３％増加し、増加した熱水の体積：Ｖｍ＝４７０Ｌ／ｄａｙ×３％＝１４．１Ｌ／ｄａｙである。この増加した約９０℃の熱水が貯湯タンクから溢れ出して高温排水としてドレン管４４から排出される。ドレン管４４から流下した高温排水は、目皿４８の細孔を通り排水トラップ３８に流入し、接続口５０から第１排水管４６を通って、大きな温度低下のないまま流入口２８から排水温度調整ます１０に流入して、貯留部３２に溜められる。このとき、貯留部３２の高さＡは、高温排水を収容可能な高さに設定され、ます本体１２の半径ｒが０．１ｍの場合、数１から０．４５ｍとなる。
［数１］
Ａ＝Ｖｍ／πｒ2
そして、高温排水機器３６の次回の加熱時間になるまでの間の１８時間、高温排水は貯留部３２に一時貯留され、その間に高温排水の熱がます本体１２の壁を通って排水温度調整ます１０の周囲の土壌に放散され、高温排水の温度が低下する。このときの排水温度調整ます１０から土壌への放熱量Ｑｍは数２〜数３から３５３８ｋＪである。
［数２］
Ｑｍ＝ｑｍ×Ｓ×Ｔ
なお、ます本体１２の側面１４の単位面積当たりの熱通過量ｑｍは数３で示され、１７３．９Ｗ／ｍ2である。
【００３４】
【数３】
2008115574.tif 000003
【００３５】
ここで、
水の熱伝導率ｈｗ＝５８０Ｗ／ｍ2・Ｋ、
貯留部３２の壁の肉厚ｔｍ＝５ｍｍ、
塩化ビニル樹脂の熱伝導率λｐ＝０．１５Ｗ／ｍ・Ｋ、
土壌の熱伝達率（貫流率）ｈｓ＝５．１３Ｗ／ｍ2・Ｋ、
９０℃の高温排水が３０℃に低下する場合の平均温度θｗ＝（９０＋３０）／２＝６０℃、
土壌の温度θｓ＝２０℃とする。
【００３６】
また、貯留部３２の壁の面積Ｓ＝貯留部３２の側面１４２πｒＡ＋貯留部３２の底面πｒ2＝０．３１４ｍ2であって、放熱時間Ｔ＝１８Ｈｒ＝６４８００ｓである。
【００３７】
この熱量Ｑｍ：３５３８ｋＪは、９０℃の熱水が土壌の温度と平衡になるまでに排出され、数４で求められる熱量Ｑｗ：３５５３ｋＪにほぼ一致する。
［数４］
Ｑｗ＝ｃｐ×Ｖｍ×（θａ−θｌ）
ここで、
水の比熱容量ｃｐ＝４．２ｋＪ／ｋｇ・Ｋ、
９０℃から１８時間後の排水の温度まで比例的に低下する際の平均温度θａ：６０℃、
１８時間後の排水の温度θｌ：３０℃である。
【００３８】
この結果、高温排水から排出される熱は貯留部３２の壁を伝達して土壌に放散され、高温排水の温度は９０℃から３０℃まで低下する。そして、次の所定加熱時間になると再び高温排水機器３６からドレン管４４を通って所定量の高温排水が排出され、上記と同様に排水トラップ３８および第１排水管４６を通って排水温度調整ます１０に流入する。これにより、貯留部３２の冷えた排水に新たな高温排水が加わり、高温排水が低温排水と混合することにより高温排水の温度が低下する。そして、この混合した排水の水位が上昇し、その水位が流出口３０の底部に達すると、排水が流入口２８から排出される。これにより、たとえば下水道法による排水温度基準に規定された４５℃未満に低下した排水が下水管４０へ排出されるため、高温排水を高い温度のまま排出せず、確実に温度を下げてから下水管４０へ流すことができる。
【００３９】
そして、流出口２８から流出せずに貯留部３２に残った排水は、低温排水との混合によって高温排水の温度に比べて低くなった上、混合した排水が放熱によりさらに低温となる。それから、また新たな高温排水が貯留部３２に流入し、この低温化した排水と混合する。これ以降は上記と同様である。
【００４０】
このように、所定時間に所定量の高温排水を排出する高温排水機器３６に対して、その所定量の高温排水を収容できる貯留部３２をます本体１２に設けると、高温排水の温度を放熱および混合によって低下させた上で下水管４０に流すことができ、下水道法を遵守するとともに、排水温度調整ます１０の下流側にある管５４、４０やます４２などの排水施設の熱劣化を防止でき、排水施設を保護することができる。
【００４１】
また、排水温度調整ます１０から排出される排水の温度が低いことにより、これより下流側にある管５４やます４２などに耐熱性が要求されないため、これらに高価な耐熱性材料を用いる必要がなく、排水システム３４のコストを抑えることができる。
【００４２】
図４および図５に示すこの発明の他の実施例である排水温度調整ます１０は図１に示す排水温度調整ます１０とほぼ同じであるが、間仕切り５６を有する点で図１に示す排水温度調整ます１０と異なる。これ以外の部分に関しては図１実施例の示す排水温度調整ます１０と同様であるため、説明は省略する。
【００４３】
間仕切り５６は、耐熱性塩化ビニル樹脂や耐熱性ＡＢＳ樹脂など耐熱性樹脂で形成され、曲管であって、たとえば９０°片受エルボが用いられる。その外径は流出口３０の内径とほぼ等しく、間仕切り５６はます本体１２の中から流出口３０に挿入された状態で接着などによって固着される。これにより、間仕切り５６は流出口３０からます本体１２の中へ向かいながら、下方へ曲がり、貯留部３２に延びる。そして、間仕切り５６の下端開口の高さは、流出口３０の底部の高さより低くなり、貯留部３２の中に位置する。
【００４４】
図６に示すように、図４および図５の排水温度調整ます１０を用いた排水システム６０では、図１の排水トラップ３８に代えてホッパ５８を用いる。
【００４５】
ホッパ５８は、排水トラップ３８と異なり防臭機能を有してないが、排水トラップ３８と同様に、受部として用いられ、ドレン管４４から流下する高温排水を受けて下流側にある第１排水管４６に排出するためのものである。そして、耐熱性塩化ビニル樹脂や耐熱性ＡＢＳ樹脂などの耐熱性樹脂で形成され、ドレン管４４の下方に埋設され、その上部は地表に開口し、開口に目皿４８などが装着される。また、このホッパ５８は防臭機能を有さないことにより、防臭機能を持つ排水トラップ３８に比べて製品コストがかからず、かつ大きさが小さいため、経済性および施工性が優れる。
【００４６】
この排水システム６０では、図３の排水システム３４と同様に、所定加熱時間になると高温排水機器３６からドレン管４４を通じて所定量の高温排水が排出され、高温排水は、高温のままホッパ５８に流下し、第１排水管４６を通じて排水温度調整ます１０に流入する。そして、次回、たとえば翌日に高温排水が流入するまでの間に高温排水が貯留部３２に溜められ、その間に放熱し、温度が低下する。また、この際、貯留部３２は高温排水で満たされるため、貯留部３２の中に位置する間仕切り５６の下端開口は高温排水に浸り、高温排水で塞がれる。これにより、下水管４０などの臭気がトラップ側へ逆流することが防がれ、排水温度調整ます１０は防臭機能を発揮する。
【００４７】
そして、高温排水機器３６の次の所定加熱時間になれば、高温排水が貯留部３２に再び流入し、貯留部３２の排水の水位が上昇する。その水位が流出口３０の底部の高さに達すると、排水は、間仕切り５６の下端開口から間仕切り５６の内部を通り流出口３０へ流れ、そこから流出する。この間仕切り５６の下端開口は流出口３０の底部より下方にあるため、新たな高温排水が貯留部３２に流入することにより、貯留部３２の上部、つまり流出口３０付近の排水の温度が高くなっても、流出口３０から流出する排水は貯留部３２の下部にある低温化された排水であるため、確実に低温の排水を下水管４０などに排出することができる。なお、貯留部３２の低い位置にある排水ほど温度が低く、かつ新たに流入する高温排水の影響を受けにくいことにより、間仕切り５６の下端が低く、貯留部３２の底面に近いほど、より確実に低温の排水が下水管４０などへ排出される。
【００４８】
なお、上で挙げた角度や寸法の具体的数値はいずれも単なる一例であり、必要に応じて適宜変更可能である。
【００４９】
また、流入口２８および流出口３０をともに拡径受口としてが、この形状に限定されない。同様に、流入口２８および流出口３０を同径に設定したが、流出口３０の径を流入口２８の径より大きく設定することもできる。
【００５０】
そして、この流出口３０の底部を流入口２８の底部より低い位置に設け、流出口３０を流入口２８より下方に配置したが、流出口３０の底部を流入口２８の底部の高さ以下、つまり流入口２８の底部と同じ高さまたはそれより低い高さに設ければよく、たとえば図７に示すように、これらを同じ高さにすることもできる。この場合、流入口２８がます本体１２側から径方向の外側、つまり上流側に向かって僅かに上り勾配となり、流出口３０がます本体１２側から径方向の外側、つまり下流側に向かって僅かに下り勾配となる。このため、貯留部３２の排水は、流入口２８から上流側へ逆流せず、流出口３０から下流側へ自然流下して排出される。
【００５１】
さらに、放熱などによって低温になった排水が貯留部３２に予め溜められている場合、新たに流入する高温排水は貯留部３２の低温排水と混ざり、高温排水の温度は低下するため、このような場合、排水温度調整ます１０を耐熱性樹脂でなく、一般的な塩化ビニル樹脂などの合成樹脂で形成することもできる。
【００５２】
また、第２排水管５４および宅地ます４２を耐熱性でない一般的な塩化ビニル樹脂などの合成樹脂で形成したが、これらを耐熱性材料で形成することもできる。
【００５３】
そして、この宅地ます４２を汚水ますに用いたが、汚水ますとして宅地ます４２に代えて公共ますを汚水ますとして用いることもできるし、また宅地ます４２と公共ますとを同時に汚水ますとして用いることもできる。
【００５４】
また、図１の排水温度調整ます１０を用いた排水システム３４では、排水トラップ３８を用いたが、排水トラップ３８に代えてホッパ５８を用いることもできる。同様に、図４の排水温度調整ます１０を用いた排水システム６０では、ホッパ５８を用いたが、ホッパ５８に代えて排水トラップ３８を用いることもできる。
【００５５】
そして、図４の間仕切り５６に９０°片受エルボなどの曲管を用いたが、間仕切りはこれに限定されず、たとえば、図８に示すように、板状の間仕切り６４を用いることもできる。
【図面の簡単な説明】
【００５６】
【図１】この発明の一実施例の排水温度調整ますを示す鉛直方向の断面図である。
【図２】図１実施例の排水温度調整ますを示す水平方向の断面図である。
【図３】図１実施例の排水温度調整ますを用いた排水システムを示す断面図である。
【図４】この発明の別の実施例の排水温度調整ますを示す鉛直方向の断面図である。
【図５】図４実施例の排水温度調整ますを示す水平方向の断面図である。
【図６】図４実施例の排水温度調整ますを用いた排水システムを示す断面図である。
【図７】この発明のさらに別の実施例の排水温度調整ますを示す鉛直方向の断面図である。
【図８】この発明のさらに別の実施例の排水温度調整ますを示す鉛直方向の断面図である。
【符号の説明】
【００５７】
１０…排水温度調整ます
１２…ます本体
１４…側面
２８…流入口
３０…流出口
３２…貯留部
３４、６０…排水システム
４０…下水管
４２…宅地ます
４６…第１排水管
５４…第２排水管
５６、６４…間仕切り
【図１】
2008115574.tif 000004
【図２】
2008115574.tif 000005
【図３】
2008115574.tif 000006
【図４】
2008115574.tif 000007
【図５】
2008115574.tif 000008
【図６】
2008115574.tif 000009
【図７】
2008115574.tif 000010
【図８】
2008115574.tif 000011
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
ます本体、
前記ます本体の側面に設けられる流入口、
前記ます本体の側面に設けられる流出口、および
前記ます本体の底面と前記流出口の底部との間に形成される貯留部を備え、
前記流入口から流入した高温排水の温度を前記貯留部で低下し、前記高温排水の温度より低くなった排水を前記流出口から流出する、排水温度調整ます。
【請求項２】
前記流出口から前記貯留部に延びる間仕切りをさらに備える、請求項１記載の排水温度調整ます。
【請求項３】
請求項１または２の排水温度調整ますを用いた排水システムであって、
高温排水を受ける受部、
前記受部に上流側端部が接続される第１排水管、
前記第１排水管の下流側端部に前記流入口が接続される前記排水温度調整ます、
前記排水温度調整ますの前記流出口に上流側端部が接続される第２排水管、
前記第２排水管の下流側端部に流入口が接続される汚水ます、および
前記汚水ますの流出口に接続される下水管を備える、排水システム。
【手続補正２】
【補正対象書類名】明細書
【補正対象項目名】０００７
【補正方法】変更
【補正の内容】
【０００７】
請求項１の発明は、ます本体、ます本体の側面に設けられる流入口、ます本体の側面に設けられる流出口、およびます本体の底面と流出口の底部との間に形成される貯留部を備え、流入口から流入した高温排水の温度を貯留部で低下し、高温排水の温度より低くなった排水を流出口から流出する、排水温度調整ますである。
【手続補正３】
【補正対象書類名】明細書
【補正対象項目名】００３１
【補正方法】変更
【補正の内容】
【００３１】
第２排水管５４は、耐熱性でない一般的な塩化ビニル樹脂などの合成樹脂で形成される。第２排水管５４の上流側端部は排水温度調整ます１０の流出口３０に接続され、下流側端部は宅地ます４２に接続されて、排水温度調整ます１０で温度が下げられた排水を排水温度調整ます１０から汚水ますに流す。